(57)【要約】【課題】  エラー発生により影響を受けた印刷ジョブの依頼元に即座にエラー通知を行うことのできる画像形成装置を提供することを目的とする。【解決手段】  画像データと該画像データに基づく画像形成の内容を指示する情報とを含むジョブ情報に基づいて画像を形成する画像形成装置であり、サーバ１１１，１１２などの複数の依頼元から上記ジョブ情報を順次に受信する受信部１３と、給紙部１２から給紙される連続用紙Ｓを搬送して排紙部１５から排紙する用紙搬送部１１と、搬送される連続用紙Ｓに上記ジョブ情報に基づいて画像を形成する画像形成部１７と、連続用紙Ｓへの画像形成におけるエラー発生によって用紙搬送部１１と画像形成部１７が停止した場合、画像形成中であった上記ジョブ情報の依頼元と画像形成後の用紙が排紙部１５から未排出である上記ジョブ情報の依頼元とにエラー通知を通知する通知部１９とを備えた。【選択図】        図１
2006272570.tif 000002
【特許請求の範囲】
【請求項１】
画像データと該画像データに基づく画像形成の内容を指示する情報とを含むジョブ情報に基づいて連続用紙に画像を形成する画像形成装置において、
複数の依頼元から前記ジョブ情報を順次に受信する受信部と、
給紙部から給紙される前記連続用紙を搬送して排紙部から排紙する用紙搬送部と、
搬送される前記連続用紙に前記ジョブ情報に基づいて画像を形成する画像形成部と、
前記連続用紙への画像形成におけるエラー発生によって前記用紙搬送部と前記画像形成部が停止した場合、画像形成中であった前記ジョブ情報の依頼元と画像形成後の用紙が前記排紙部から未排出である前記ジョブ情報の依頼元とにエラー通知を通知する通知部と
を備えたことを特徴とする画像形成装置。
【請求項２】
前記受信部が受信した前記ジョブ情報に該ジョブ情報固有のジョブ番号を付して該ジョブ情報とともに該ジョブ情報の依頼元を記憶する記憶部を備え、
前記通知部が、前記記憶部に記憶された内容を参照して前記エラー通知を通知するものであることを特徴とする請求項１記載の画像形成装置。
【請求項３】
前記通知部は、画像形成を再開すべき頁番号を通知するものであることを特徴とする請求項１または請求項２記載の画像形成装置。
【発明の詳細な説明】
【技術分野】
【０００１】
本発明は、連続用紙に、画像データに基づく画像形成の内容を指示するジョブ情報に基づいて画像を形成する画像形成装置に関する。
【背景技術】
【０００２】
従来、連続用紙に画像を形成する電子写真方式の画像形成装置においては、連続用紙がホッパから転写位置に供給され定着処理を経てスタックアウト位置に至るまでの搬送経路長が長いために、印刷された用紙がスタックアウトされるまでに、搬送経路上に数頁分が滞留し、この滞留した頁は、次のジョブ印刷時にスタックアウトされるようになっている。この滞留した頁の排出動作を指示することにより最終頁までをスタックアウトすることは可能であるが、白紙で排出される頁が多くなり、用紙の無駄につながるので好ましくない。
【０００３】
また、近年の連続用紙印刷装置においては、ネットワークで接続されたＰＣ（Ｐｅｒｓｏｎａｌ  Ｃｏｍｐｕｔｅｒ）からの依頼に応じた印刷が可能となっており、さらに１台の連続用紙印刷装置に１台あるいは複数のサーバを接続し、それらサーバからの印刷依頼に応じて印刷処理することが可能な環境が構築されている。このような状況に応じて、前ジョブを印刷依頼したサーバとは異なるサーバからの印刷依頼を処理することのできる印刷装置や、前ジョブを印刷依頼したユーザとは異なる同じサーバの他のユーザの印刷依頼をも処理することのできる印刷装置も増えてきている。
【０００４】
このような複数サーバあるいは複数ユーザからの印刷依頼も処理可能な印刷装置において、転写位置からスタックアウト位置までの間に、前ジョブ印刷頁がスタックアウトされずに滞留している状態で次ジョブの印刷が開始され、その次ジョブの印刷中にジャム等のエラーが発生した場合は、その次ジョブの依頼元に対して印刷装置からエラー発生通知が行われるようになっている。
【０００５】
しかし、印刷装置内に滞留していた前ジョブの印刷頁の依頼元に対しては、印刷頁が一部滞留してはいるもののそのジョブの印刷は正常終了しているため、エラー発生通知は行われないという問題がある。
【０００６】
従って、印刷ジョブを依頼したユーザが印刷物を引き取りに来た段階で初めて、印刷依頼したジョブ印刷頁が総てはスタックアウトされていないことを知らされるといったトラブルがしばしば発生する。
【０００７】
そこで、例えば、印刷装置内に、依頼された印刷ジョブのイメージデータを記憶しておく記憶手段を設け、印刷エラーが生じた場合に、エラー時の印刷個所から所定間隔前の個所より印刷を再開させるようにした印刷装置が提案されている（例えば、特許文献１参照。）。
【特許文献１】特開２００１−１１３７６１号公報（第２−４頁、図３）
【発明の開示】
【発明が解決しようとする課題】
【０００８】
しかし、上記特許文献１の技術では、搬送経路の長い印刷装置の場合には、印刷ジョブのイメージデータは大容量になりがちであり、それを記憶しておくためには高価な大容量の記憶手段が必要になるのでコストアップの一因になりやすいという問題がある。
【０００９】
本発明は、上記事情に鑑み、エラーの発生により影響を受けた印刷ジョブの依頼元に即座にエラー通知を行うことのできる画像形成装置を提供することを目的とする。
【課題を解決するための手段】
【００１０】
上記課題を解決する本発明の画像形成装置は、
画像データと該画像データに基づく画像形成の内容を指示する情報とを含むジョブ情報に基づいて連続用紙に画像を形成する画像形成装置において、
複数の依頼元から上記ジョブ情報を順次に受信する受信部と、
給紙部から給紙される上記連続用紙を搬送して排紙部から排紙する用紙搬送部と、
搬送される上記連続用紙に上記ジョブ情報に基づいて画像を形成する画像形成部と、
上記連続用紙への画像形成におけるエラー発生によって上記用紙搬送部と上記画像形成部が停止した場合、画像形成中であった上記ジョブ情報の依頼元と画像形成後の用紙が上記排紙部から未排出である上記ジョブ情報の依頼元とにエラー通知を通知する通知部とを備えたことを特徴とする。
【００１１】
本発明の画像形成装置によれば、上記のように構成したことにより、先のジョブの依頼元および次のジョブの依頼元の双方にエラー通知が行われるので、次のジョブで発生したエラーの影響を受けた先のジョブの依頼元も即座にエラー通知を受けることができる。
【００１２】
ここで、上記受信部が受信した上記ジョブ情報に該ジョブ情報固有のジョブ番号を付して該ジョブ情報とともに該ジョブ情報の依頼元を記憶する記憶部を備え、上記通知部が、上記記憶部に記憶された内容を参照して上記エラー通知を通知するものであってもよい。
【００１３】
本発明の画像形成装置を上記のように構成した場合は、例えば、この画像形成装置がジョブ上記の依頼元となるサーバなどを介して複数のユーザから依頼された印刷を実行するものである場合に、上記記憶部にそれら複数のユーザ名その他の情報を記憶しておくことにより依頼したユーザに正確にエラー通知を通知することが可能となる。
【００１４】
また、上記通知部は、画像形成を再開すべき頁番号を通知するものであってもよい。
【００１５】
本発明の画像形成装置を上記のように構成した場合は、ジョブの依頼元に詳細なエラー情報を通知することが可能となる。
【発明の効果】
【００１６】
本発明の画像形成装置によれば、エラーの発生により影響を受けた印刷ジョブの依頼元に即座にエラー通知を行うことのできる画像形成装置を実現することができる。
【発明を実施するための最良の形態】
【００１７】
以下図面を参照して本発明の画像形成装置の一実施形態について説明する。
【００１８】
図１は、本実施形態の画像形成装置の概略構成図である。
【００１９】
図１に示すように、この画像形成装置１００は、ＬＡＮ（Ｌｏｃａｌ  Ａｒｅａ  Ｎｅｔｗｏｒｋ）などのネットワーク２００により複数のサーバ１１１，１１２と接続され、複数の頁領域が所定の搬送方向Ａに連なった、用紙搬送部１１の長さよりも長い連続用紙Ｓを搬送しながら、その連続用紙Ｓに、画像データと該画像データに基づく画像形成の内容を指示する情報とを含むジョブ情報に基づいて画像を形成する画像形成装置であり、サーバ１１１，１１２などの複数の依頼元から上記ジョブ情報を順次に受信する受信部１３と、給紙部１２から給紙される連続用紙Ｓを搬送して排紙部１５から排紙する用紙搬送部１１と、搬送される連続用紙Ｓに上記ジョブ情報に基づいて画像を形成する画像形成部１７と、連続用紙Ｓへの画像形成におけるエラー発生によって用紙搬送部１１と画像形成部１７が停止した場合、画像形成中であった上記ジョブ情報の依頼元と画像形成後の用紙が排紙部１５から未排出である上記ジョブ情報の依頼元とにエラー通知を通知する通知部１９とを備えている。
【００２０】
画像形成部１７は、感光体ドラム１６表面を一様に帯電させる帯電器１７ａ、上記ジョブ情報に基づいて感光体ドラム１６上に静電潜像を形成する潜像形成部１７ｂ、感光体ドラム１６上に形成された静電潜像をトナーで現像してトナー像を形成する現像器１７ｃ、感光体ドラム１６上に形成されたトナー像を連続用紙Ｓに転写する転写器１７ｄ、連続用紙Ｓに転写されたトナー像を連続用紙Ｓに定着させる定着器１７ｅ、および転写後の感光体ドラム１６上に残留したトナーを除去するクリーナ１７ｆなどから構成されている。
【００２１】
また、この実施形態の通知部１９には、受信中、印刷中の表示やエラー発生の表示その他設定関係の表示を行う表示パネル１９ａ、およびエラー発生時のリセット処理その他設定関係の処理を受け付けるパネルキー１９ｂが備えられている。
【００２２】
なお、本実施形態の画像形成装置１００は、受信部１３が受信した上記ジョブ情報に該ジョブ情報固有のジョブ番号を付して該ジョブ情報とともに該ジョブ情報の依頼元を記憶する記憶部１４を備え、上記通知部１９が、上記記憶部１４に記憶された内容を参照して前記エラー通知を通知するものとして構成されている。
【００２３】
また、本実施形態の画像形成装置１００は、通知部１９は、画像形成を再開すべき頁番号を通知するものものとして構成されている。
【００２４】
次に、この画像形成装置１００による通常の画像形成動作について説明する。
【００２５】
画像形成装置１００の受信部１３が、ネットワーク２００で接続されたサーバ１１１，１１２からオンライン印刷データを受信すると、画像形成部１７は、受信したデータの解析を行うとともに解析後のデータをビットマップに展開するための内部コード変換を行い、そのビットマップデータを潜像形成部１７ｂにより感光体ドラム１６に書き込み感光体ドラム１６上に静電潜像を形成する。感光体ドラム１６上に形成された静電潜像は現像器１７ｃによりトナーで現像されて感光体ドラム１６上にトナー像が形成される。感光体ドラム１６上のトナー像は転写器１７ｄにより連続用紙Ｓに転写され、連続用紙Ｓに転写されたトナー像は定着器１７ｅにより連続用紙Ｓに定着され、連続用紙Ｓは最終的にスタッカ１５ヘと排出される。
【００２６】
表示パネル１９ａには、受信部１３で受信した印刷データについて、受信中や印刷中の表示が行われる他、エラー発生時の表示または設定関係の表示が行われる。パネルキー１９ｂは、エラー発生時のリセットや設定関係のキー押下による処理を行う。
【００２７】
次に、この画像形成装置１００の制御系について説明する。
【００２８】
図２は、本実施形態の画像形成装置における制御系統図である。
【００２９】
図２に示すように、この画像形成装置１００内には、通信処理部１２０、データ解析部１３０、描画処理部１４０、印刷制御処理部１５０、メカ制御処理部１６０、およびパネル表示操作処理部１７０などが設けられている。
【００３０】
パネル表示操作処理部１７０には表示パネル１８０、パネルキー１９０などが設けられており、印刷データを受信すると、表示パネル１８０に受信中や印刷中の表示とか、エラー発生時の表示または、設定関係の表示処理と、パネルキー１９０からのエラー発生時のリセットとか、設定関係のキー押下に対する処理を行う。
【００３１】
なお、上記通信処理部１２０は、本発明にいう受信部１３（図１参照）に相当するものであり、また、上記データ解析部１３０、描画処理部１４０、印刷制御処理部１５０、メカ制御処理部１６０は、本発明にいう画像形成部１６（図１参照）に相当するものであり、また、上記パネル表示操作処理部１７０は、本発明にいう通知部１９（図１参照）に相当するものである。
【００３２】
また、上記通信処理部１２０の一部は、本発明にいう通知部１９（図１参照）に相当する機能を備えている。
【００３３】
通信処理部１２０は、ジョブ認識処理部１２１、ジョブ管理処理部１２２、およびエラー認識処理部１２３などからなる。また、このジョブ管理処理部１２２には、依頼元の情報を記憶するジョブ情報テーブル３０１が備えられている。このジョブ情報テーブル３０１は、本発明にいう記憶部に相当するものである。
【００３４】
次に、本実施形態におけるジョブ情報の内容について説明する。
【００３５】
図３は、本実施形態におけるジョブ情報の一例を示す図である。
【００３６】
本実施形態においては、ジョブ情報は、ジョブ管理処理部１２２内に設けられたジョブ情報テーブル３０１（図２，３参照）に登録されるようになっている。
【００３７】
このジョブ情報テーブル３０１には、ジョブ情報カウンタ３０１＿１、ジョブ番号３０１＿２、および各ジョブ情報にそれぞれジョブ情報３０１＿３が設けられており、ジョブ情報３０１＿３として例えば、ジョブ情報２に対応する、ＩＰアドレス３０１＿３ａ：「１２３．４５６．７８．９０１」、サーバ情報３０１＿３ｂ：「ＥＢＩＮＡ１」なるサーバから受信した印刷ジョブ名３０１＿３ｃ：「ＦＥ０４−０６７６４  Ｐ」、印刷頁数３０１＿３ｄ：「１２」、印刷データ記憶アドレス３０１＿３ｅ：「ＨＥＸ１０００番地」なる情報についての印刷状態３０１＿３ｆなどが登録されるようになっている。
【００３８】
印刷状態３０１＿３ｆは、印刷ジョブの処理状態を示す情報であり、ジョブ情報の登録時に待機状態「１」が書き込まれた後は、印刷制御処理部１５０（図２参照）によって印刷状態に応じた情報（「０」：終了、「２」：印刷中、「３」ジャム発生）が書き込まれる。なお、新たにジョブ情報を登録する場合は、Ｎ進のジョブ情報カウンタの値に対応する場所に登録され、登録後にジョブ情報カウンタは１つ加算される。
【００３９】
次に、本実施形態の画像形成装置におけるエラー発生時の動作を従来の画像形成装置におけるエラー発生時の動作と比較しながら説明する。
【００４０】
図４は、本実施形態におけるエラー発生時の動作を示す図であり、図５は、従来技術の場合のエラー発生時の動作を示す図である。
【００４１】
説明の都合上、先ず図５を参照しながら従来の画像形成装置におけるエラー発生時の動作について説明する。
【００４２】
図５に示すように、サーバＡ５１１からネットワーク２００を介して、画像形成装置５００に印刷依頼が行われ、画像形成装置５００によってその印刷が行われる。
【００４３】
このときのジョブ番号を仮にＮｏ．５とする。次に、サーバＢ５１２より画像形成装置５００に印刷依頼が行われる。このときのジョブ番号を仮にＮｏ．６とする。
【００４４】
ジョブ番号Ｎｏ．６を印刷中に画像形成装置５００内の用紙搬送部１１でジャム４１等の、再印刷が必要なエラーが発生すると、画像形成装置５００から印刷中のサーバＢ５１２に対して、エラー発生の通知が行われる。
【００４５】
しかし、エラー発生時にジョブ番号Ｎｏ．６以外にジョブ番号Ｎｏ．５の印刷頁が画像形成装置５００の装置内に滞留しており、最終頁はスタックアウト４２を通過しておらず、エラー発生にて再印刷が必要な対象となってしまう。サーバＡ５１１からの印刷はすでに印刷済となっているため、エラー発生にて通知しようにも通知情報すら存在しないために印刷中のサーバＢ５１２にしかエラー通知をすることができない。
【００４６】
一方、本実施形態における画像形成装置１００（図２参照）では、通信処理部１２０に、ジョブ認識処理部１２１、ジョブ管理処理部１２２、エラー認識処理部１２３が設けられており、また、印刷制御処理部１５０に、頁単位認識処理部１５１が設けられている。
【００４７】
図４に示すように、サーバＡ１１１から印刷データを受信すると、ジョブ番号Ｎｏ．５として管理され印刷される。ジョブ番号Ｎｏ．５の印刷が完了したときには最終頁は転写完了点４０を過ぎた箇所で停止している。
【００４８】
次にサーバＢ１１２から印刷データを受信し、ジョブ番号Ｎｏ．６で管理され印刷される。Ｎｏ．６の印刷が始まってすぐに、再印刷を必要とするジャム４１のエラーが発生した場合に、通信処理部１２０のエラー認識処理部１２３にて、オンライン印刷中でのエラーであることを認識し、印刷制御処理部１５０に対して現在印刷中のジョブ番号Ｎｏ．６を通知し、頁単位ジョブ認識処理部１５１にてジョブ番号Ｎｏ．６以外のジョブ番号の有無をチェックする。
【００４９】
ジョブ番号Ｎｏ．５はスタックアウトされていないので、ジョブ番号Ｎｏ．５をエラー認識処理部１２３に返す。エラー認識処理部１２３は現在印刷中のジョブ番号Ｎｏ．６についてジョブ管理処理部１２２から依頼元情報を獲得し、依頼元のサーバＢ１１２に『エラー発生』と印刷ジョブ名およびリカバリ頁情報の通知と、『未排出ジョブ頁発生』を通知する。
【００５０】
また、ジョブ番号Ｎｏ．５の依頼元情報よりサーバＡ１１１に対して『未排出ジョブ頁発生』のメッセージと、印刷ジョブ名およびスタックアウトされていない頁情報とについて通知する。
【００５１】
サーバＡ１１１からの印刷終了後に、オフライン印刷を開始した時にエラーが発生した場合は、エラー認識処理部１２３は、オンライン印刷中では無いと判断し、印刷制御処理部１５０に対してはオンライン印刷のジョブ情報の有無があるかを問い合わせる。印刷制御処理部１５０の頁単位ジョブ認識処理部部１５１では単に、オンライン印刷ジョブ情報の存在をチェックし、該当するジョブ番号Ｎｏ．５をエラー認識処理部１２３に返す。エラー認識処理部１２３はジョブ情報よりジョブ管理処理部１２２から依頼元情報を獲得し、依頼元のサーバＡ１１１に対して『未排出ジョブ頁発生』のメッセージとエラー発生となった印刷ジョブ名および頁情報を通知する。
【００５２】
このように、従来の画像形成装置５００（図５参照）では内部でジョブ情報管理がなされていないため、先の依頼元のサーバＡ１１１に対してエラー通知はされないが、本実施形態の画像形成装置１００（図４参照）では内部でジョブ情報管理が行われるので、サーバＡ１１１に対して『未排出ジョブ頁発生』のメッセージとエラー発生となった頁情報とが通知される。
【００５３】
次に、本実施形態の画像形成装置内の各処理部におけるデータの流れについて説明する。
【００５４】
図６は、本実施形態の画像形成装置による通常処理時のデータの流れを示す図である。
【００５５】
サーバ１１１，１１２からジョブ情報の送信が開始され印刷データがネットワーク２００を介して画像形成装置１００（図２参照）に送信されると、通信処理部１２０はオンラインモードを設定し、受信したジョブに関する情報をジョブ情報テーブル３０１（図３参照）に登録して、印刷データをハードディスク（図示せず）などの記憶装置に記憶する。
【００５６】
ジョブ情報の送信終了を受信すると、データ解析部１３０が、印刷データのデータを解析し、内部コード（中間言語）に変換する。変換された内部コードは１頁単位に取り出されて描画処理部１４０に送られる。描画処理部１４０では内部コードに基づいて描画用のビットマップデータ（ビデオデータ）に展開する。印刷制御処理部１５０は、ビデオデータをメカ制御処理部１６０へ転送して印刷を行わせるとともに、ジョブの頁数に達するまでデータ解析部１３０に次頁の展開・解析処理を行わせる。また、印刷制御処理部１５０はメカ制御処理部１６０から１頁毎の印刷画終了情報を計数し、ジョブの頁数に達すると、印刷終了を通信処理部１２０に伝える。通信処理部１２０はオンラインモードを解除するとともにサーバ１１１，１１２へ印刷終了情報を送信する。
【００５７】
図７は、本実施形態の画像形成装置によるエラー処理時のデータの流れを示す図である。
【００５８】
メカ制御処理部１６０（図２参照）から印刷制御処理部１５０を介して通信処理部１２０へエラー発生が伝えられると、通信処理部１２０はデータ解析部１３０に解析を中止させるとともに、印刷制御処理部１５０へ設定されたオンラインまたはオフラインのモード情報とともに滞留ジョブの問い合わせを行い、印刷制御処理部１５０で生成された滞留ジョブ情報を受け取る。
【００５９】
通信処理部１２０は、滞留ジョブ情報に基づいてジョブの依頼元であるサーバ１１１，１１２へエラー通知を行う。
【００６０】
図８は、本実施形態の通信処理部および印刷制御処理部の動作を示す図である。
【００６１】
通信処理部１２０は、ジョブ認識処理部１２１、ジョブ管理処理部１２２、およびエラー認識処理部１２３から成る。ジョブ認識処理部１２１は、ジョブを受信すると、エラー認識処理部１２３にオンラインモードを設定させるとともに、ジョブ管理処理部１２２にジョブ情報を取得させて依頼元情報をジョブ情報テーブル３０１（図３参照）に登録させる。ジョブ認識処理部１２１がジョブ終了を受信すると、ジョブ管理処理部１２２によってデータ解析部１３０と描画処理部１４０とを介して印刷制御処理部１５０へ頁単位にビデオデータが送られる。印刷制御処理部１５０の頁単位ジョブ認識処理部１５１は各頁毎にメカ制御処理部１６０における処理状態を認識し、印刷終了またはエラー通知を行う。印刷制御処理部１５０からジョブの印刷終了を受けると、エラー認識処理部１２３はオンラインモードを解除する。
【００６２】
一方、印刷制御処理部１５０からエラー通知を受けると、ジョブ認識処理部１２１は印刷制御処理部１５０に設定されたモードを送って滞留ジョブの問い合わせをする。返信された滞留ジョブ情報に基づき、ジョブ管理処理部１２２は、ジョブ情報テーブル３０１（図３参照）からエラーが起きたジョブを依頼したサーバを検索してエラー通知を行う。
【００６３】
図９は、本実施形態の印刷制御処理部で行われる処理を示すフローチャートである。
【００６４】
図９には、印刷制御処理部１５０（図２参照）の頁単位ジョブ認識処理部１５１で行われる処理の流れが示されている。
【００６５】
先ず、ステップＳ０１において、ジョブ番号通知が行われたか否かが判定され、ジョブ番号通知が行われたと判定された場合はステップＳ０２に進み、ジョブ番号頁数入力処理Ｓ０２が行われた後、ステップＳ０３に進む。
【００６６】
次に、ステップＳ０３では、頁データ受信が行われたか否かが判定され、頁データ受信が行われたと判定された場合はステップＳ０４に進み、頁データ受信処理Ｓ０４が行われた後、ステップＳ０５に進む。
【００６７】
次に、ステップＳ０５では、フィード量カウントが行われたか否かが判定され、フィード量カウントが行われたと判定された場合はステップＳ０６に進み、フィード量カウント処理Ｓ０６が行われた後、ステップＳ０７に進む。
【００６８】
次に、ステップＳ０７では、滞留ジョブ問合わせが行われたか否かが判定され、滞留ジョブ問合わせが行われたと判定された場合はステップＳ０８に進み、滞留ジョブ応答処理Ｓ０８が行われた後、このフローチャートによる処理を終了する。なお、この処理は所定時間毎に実行される。
【００６９】
これらジョブ情報頁数入力処理Ｓ０２、頁データ受信処理Ｓ０４、フィード量カウント処理１５１＿３、および滞留ジョブ応答処理Ｓ０８の処理内容について次に説明する。
【００７０】
図１０は、本実施形態における頁単位ジョブ認識処理テーブルを示す図である。
【００７１】
図１０には、この実施形態には、頁単位ジョブ認識処理部１５１（図８参照）において必要となる情報を記憶する頁単位ジョブ認識処理テーブル３０２が設けられている。
【００７２】
図１０に示すように、この頁単位ジョブ認識処理テーブル３０２には、各ジョブのジョブ番号３０２ａ、頁数３０２ｂ、開始ポインタ３０２ｃおよび終了ポインタ３０２ｄが記憶され、さらに、各ジョブ情報の各頁毎に印刷後の用紙搬送に伴って用紙が移動した移動距離（ｃｍ）３０２ｅが書き込まれている。この移動距離３０２ｅが所定距離（本実施形態では２００ｃｍに設定）よりも大きくなった場合（その頁が排出部に排出されたことを意味している）に、その頁は、この頁単位ジョブ認識処理テーブル３０２の管理対象から外れる。
【００７３】
このように、画像形成に必要な頁領域の開始ポイントおよび終了ポイントをそれぞれ開始ポインタ、終了ポインタとして、ジョブ情報や頁数とともに上記頁単位ジョブ認識処理テーブル３０２に記憶しておくことにより、前述したように、受信したジョブ情報に基づく頁領域が用紙搬送部１１から排出される前であって次に受信したジョブ情報に基づく頁領域が給紙部１２（図１参照）によって用紙搬送部１１に給紙された後に、エラーの発生が検知された場合に、先に受信したジョブ情報の依頼元および次に受信したジョブ情報の依頼元の双方に所定のエラー通知を通知することが可能となるのである。
【００７４】
ここで、ジョブ情報頁数入力処理１５１＿１（図９参照）について説明する。データ解析部１３０（図６参照）によるデータ解析が行われた後、ジョブ情報と頁数とが印刷制御処理部１５０に入力されると、頁単位ジョブ認識処理部１５１（図８参照）は、それらの情報を頁単位ジョブ認識処理テーブル３０２（図１０参照）に登録する。
【００７５】
次に、頁データ受信処理Ｓ０４（図９参照）について説明する。この頁データ受信処理１５１＿１では、頁単位に送られるビデオデータを入力すると頁番号を加算し、ジョブ情報と頁番号と新たに頁単位ジョブ認識処理テーブル３０２（図１０参照）に登録し、終了ポインタの値を１つ進める。
【００７６】
次に、フィード量カウント処理１５１＿３（図９参照）について説明する。このフィード量カウント処理１５１＿３では、用紙を所定距離だけ（本実施形態では１ｃｍに設定）搬送する毎に信号を発生する検出器（図示せず）から信号を入力すると、頁単位ジョブ認識処理テーブル３０２（図１０参照）に登録されている各頁の移動距離３０２ｅを更新する。
【００７７】
次に、滞留ジョブ応答処理Ｓ０８（図９参照）について説明する。この滞留ジョブ応答処理Ｓ０８では、エラー時に滞留ジョブの問い合わせを受けると（図７参照）、頁単位ジョブ認識処理テーブル３０２（図１０参照）に基づいて、まだ排出が終わっていないジョブに関する情報を生成し、滞留ジョブ情報としてジョブ管理処理部１２２（図２参照）へ送る。
【００７８】
図１１は、本実施形態における移動距離カウント処理のフローチャートである。
【００７９】
先ず、各頁毎に、前回の終了ポインタを読出アドレスに設定し（ステップＳ１１）、その読出ポインタから移動距離を読み出してフィード量に１を加算して更新する（ステップＳ１２）。
【００８０】
次に、移動距離が所定のフィード量（本実施形態では２００ｃｍに設定）以上になったか否かを判定する（ステップＳ１３）。
【００８１】
ステップＳ１３における判定の結果、所定のフィード量以上となったときはステップＳ１４に進み、その読出アドレスから１だけ減算して開始ポインタを更新し（ステップＳ１４）、このフローチャートによる処理を終了する。
【００８２】
一方、ステップＳ１３における判定の結果、所定のフィード量に達していないときはそのままステップＳ１５に進む。
【００８３】
ステップＳ１５では、読出アドレスと開始ポインタとの比較を行い、両者が一致したときはこのフローチャートによる処理を終了する。
【００８４】
一方、ステップＳ１５における比較の結果、読出アドレスと開始ポインタとが一致しないときは読出アドレスを１だけ減算して更新し（ステップＳ１６）た後、ステップＳ１２に戻りステップＳ１２以降の処理を繰り返す。
【００８５】
図１２は、本実施形態における滞留ジョブ応答処理のフローチャートである。
【００８６】
先ず、前回の終了ポインタを読出アドレスに設定し（ステップＳ２１）、ジョブ番号および頁数を読み出し（ステップＳ２２）、読み出したジョブ番号をカレントジョブ番号とする（ステップＳ２３）。
【００８７】
次に、ジョブ番号および頁数を出力し（ステップＳ２４）、読出アドレスと開始ポインタとの比較を行い（ステップＳ２５）、両者が一致したときはステップＳ３０にジャンプする。ステップＳ３０以降の処理については後述する。
【００８８】
一方、ステップＳ２５における比較の結果、読出アドレスと開始ポインタとが一致しないときはジョブ番号および頁数を読み出し（ステップＳ２６）、読出アドレスを１だけ減算して新たな読出アドレスとした（ステップＳ２７）後、ステップＳ２８に進む。
【００８９】
ステップＳ２８では、ジョブ番号とカレントジョブ番号との比較を行い（ステップＳ２８）、両者が一致したときにはステップＳ２４に戻りステップＳ２４以降の処理を繰り返す。
【００９０】
一方、ステップＳ２８における比較の結果、読出アドレスと開始ポインタとが一致しないときはオフラインモードにおける滞留ジョブ情報の問合わせであるか否かが判定される（ステップＳ２９）、ステップＳ２９における比較の結果、オンラインモードにおける滞留ジョブ情報問合わせであると判定されたときにはステップＳ２４に戻りステップＳ２４以降の処理を繰り返す。
【００９１】
なお、オンラインモードとオフラインモードとの判断は、エラー発生時にジョブ認識処理部１２１から送られるエラー認識処理部１２３に設定されたモードに基づいて行われる。
【００９２】
一方、ステップＳ２９における比較の結果、オフラインモードにおける滞留ジョブ情報問合わせであると判定されたときにはステップＳ３０に進み、そのままＥＯＪＬを出力して終了する。一方、オンラインモードにおける滞留ジョブ情報問合わせであれば、最終ポインタの頁のジョブ番号および頁数を出力（ステップＳ３１）した後にＥＯＦを出力して終了する。
【００９３】
滞留ジョブ応答処理（図１２参照）によって送られた滞留ジョブ情報は通信処理部１２０に設けられた所定の記憶領域に記憶される。
【００９４】
図１３は、本実施形態における滞留ジョブ情報の記憶領域および依頼元返信処理に用いる記憶領域を示す図である。
【００９５】
滞留ジョブ応答処理により作成された滞留ジョブ情報３０３は、図１３に示すように、連続した記憶領域に順次書き込まれる。ＩＦジョブ番号３０３ａには依頼元に送信するジョブ番号３０３ｃが、ＩＦ頁３０３ｂには再送信を開始すべき頁番号３０３ｄが書き込まれる。
【００９６】
図１４は、本実施形態における依頼元返信処理のフローチャートである。
【００９７】
この依頼元返信処理は、設定されているモードがオンラインモードの時のみ実行される。すなわち、先ず、モードがオンラインモードかオフラインモードのどちらに設定されているかの判定が行われ（ステップＳ４１）、オフラインモードの場合にはこの処理は終了する。
【００９８】
ステップＳ４１でオンラインモードと判定された場合には  先ず、開始アドレスを読み出してそれを読出アドレスに設定し（ステップＳ４２）、読出アドレスから順次、ジョブ番号および頁番号を読み出し（ステップＳ４３）、図１３に示したＩＦジョブ番号３０３ａ、ＩＦ頁番号３０３ｂにそれぞれ上書きする（ステップＳ４４）。
【００９９】
次に、ステップＳ４５において、読出したアドレスを加算して更新した後、ジョブ番号および頁番号を読み出す（ステップＳ４６）。
【０１００】
次に、読み出されたジョブ番号とＩＦジョブ番号３０３ａ（図１３参照）との比較が行われる（ステップＳ４７）。
【０１０１】
ステップＳ４７における比較の結果、読み出されたジョブ番号とＩＦジョブ番号３０３ａが一致した場合にはステップＳ５０に進みＩＦジョブ番号３０３ａ、ＩＦ頁番号３０３ｂにそれぞれ上書きした後、ステップＳ４５に戻りステップＳ４５以降の処理を繰り返す。
【０１０２】
ステップＳ４７における比較の結果、読み出されたジョブ番号がＩＦジョブ番号３０３ａとは異なる場合には、その際のＩＦジョブ番号およびＩＦ頁番号を依頼元へ通知し（ステップＳ４８）、ジョブ情報テーブル３０１（図３参照）からジョブ情報を検索し、印刷ジョブ名３０１＿３ｃ、印刷頁数３０１＿３ｄなどを依頼元のサーバへ送る。こうしてＥＯＪＬが読み出されるまで、滞留ジョブ情報として記憶された全てのジョブ情報について順次印刷通知処理が行われる（ステップＳ４９）。
【０１０３】
このように、本発明では、画像形成装置内に滞留している印刷済のジョブ頁に対しても、再印刷が必要なエラーが発生した場合でも、エラー発生通知を行うことが可能であり、画像形成装置の信頼性を向上させることができる。
【図面の簡単な説明】
【０１０４】
【図１】本実施形態の画像形成装置の概略構成図である。
【図２】本実施形態の画像形成装置における制御系統図である。
【図３】本実施形態におけるジョブ情報の一例を示す図である。
【図４】本実施形態におけるエラー発生時の動作を示す図である。
【図５】従来技術の場合のエラー発生時の動作を示す図である。
【図６】本実施形態の画像形成装置による通常処理時のデータの流れを示す図である。
【図７】本実施形態の画像形成装置によるエラー処理時のデータの流れを示す図である。
【図８】本実施形態の通信処理部および印刷制御処理部の動作を示す図である。
【図９】本実施形態の印刷制御処理部で行われる処理を示すフローチャートである。
【図１０】本実施形態における頁単位ジョブ認識処理テーブルを示す図である。
【図１１】本実施形態における移動距離カウント処理のフローチャートである。
【図１２】本実施形態における滞留ジョブ応答処理のフローチャートである。
【図１３】本実施形態における滞留ジョブ情報の記憶領域および依頼元返信処理に用いる記憶領域を示す図である。
【図１４】本実施形態における依頼元返信処理のフローチャートである。
【符号の説明】
【０１０５】
１１    用紙搬送部
１２    給紙部
１３    受信部
１４    記憶部
１５    スタッカ
１６    感光体ドラム
１７    画像形成部
１７ａ    帯電器
１７ｂ    潜像形成部
１７ｃ    現像器
１７ｄ    転写器
１７ｅ    定着器
１７ｆ    クリーナ
１９    通知部
１９ａ    表示パネル
１９ｂ    パネルキー
４０    転写完了点
４１    ジャム
４２    スタックアウト
１００    画像形成装置
１１１，１１２    サーバ
１２０    通信処理部
１２１    ジョブ認識処理部
１２２    ジョブ管理処理部
１２３    エラー認識処理部
１３０    データ解析部
１４０    描画処理部
１５０    印刷制御処理部
１６０    メカ制御処理部
１７０    パネル表示操作処理部
１８０    表示パネル
１９０    パネルキー
２００    ネットワーク
３０１    ジョブ情報テーブル
３０１＿１    ジョブ情報カウンタ
３０１＿２    ジョブ番号
３０１＿３    ジョブ情報
３０１＿３ａ    ＩＰアドレス
３０１＿３ｂ    サーバ情報
３０１＿３ｃ    印刷ジョブ名
３０１＿３ｄ    印刷頁数
３０１＿３ｅ    印刷データ記憶アドレス
３０１＿３ｆ    印刷状態
３０２    頁単位ジョブ認識処理テーブル
３０２ａ    ジョブ番号
３０２ｂ    頁数
３０２ｃ    開始ポインタ
３０２ｄ    終了ポインタ
３０２ｅ    移動距離
３０３    滞留ジョブ情報
３０３ａ    ＩＦジョブ番号
３０３ｂ    ＩＦ頁
３０３ｃ    ジョブ番号
３０３ｄ    頁番号
５００    画像形成装置
５１１，５１２    サーバ
【図１】
2006272570.tif 000003
【図２】
2006272570.tif 000004
【図３】
2006272570.tif 000005
【図４】
2006272570.tif 000006
【図５】
2006272570.tif 000007
【図６】
2006272570.tif 000008
【図７】
2006272570.tif 000009
【図８】
2006272570.tif 000010
【図９】
2006272570.tif 000011
【図１０】
2006272570.tif 000012
【図１１】
2006272570.tif 000013
【図１２】
2006272570.tif 000014
【図１３】
2006272570.tif 000015
【図１４】
2006272570.tif 000016